(57)【要約】【課題】サイドウォール部の外表面から隆起した凸部で構成された表示物に起因するユニフォミティの低下や走行時の振動を抑制することを可能にした空気入りタイヤを提供する。【解決手段】  空気入りタイヤのサイドウォール部２のそれぞれの外表面のタイヤ最大幅位置よりもタイヤ径方向外側の領域に、サイドウォール部２の外表面から０．８ｍｍ以上隆起して文字、図形、または記号を描写する一連の凸部１１で構成された表示物１０をＮ個ずつ設け、  各表示物１０のそれぞれのタイヤ周方向の一端から他端までのタイヤ軸を中心とした角度θを３０°以上１５０°以下とし、表示物１０を各サイドウォール部２において（３６０°／Ｎ）±２０°の間隔で配置し、一方側のサイドウォール部２の表示物１０とサイドウォール部２の表示物１０とをタイヤ周方向の位置がずれるように配置し、これら表示物どうしのタイヤ軸を中心としたズレ角度を（１８０°／Ｎ）±２０°の範囲内にする。【選択図】図２
2020001665.tif 000002
【特許請求の範囲】
【請求項１】
タイヤ周方向に延在して環状をなすトレッド部と、該トレッド部の両側に配置された一対のサイドウォール部と、これらサイドウォール部のタイヤ径方向内側に配置された一対のビード部とを備えた空気入りタイヤにおいて、
前記一対のサイドウォール部のそれぞれの外表面のタイヤ最大幅位置よりもタイヤ径方向外側の領域に、前記サイドウォール部の外表面から０．８ｍｍ以上隆起して、頂面の形状によって文字、図形、または記号を描写する凸部を構成単位とし、複数の前記凸部が組み合わされた一連の凸部群として構成された表示物がＮ個ずつ設けられ、
各表示物のそれぞれのタイヤ周方向の一端から他端までのタイヤ軸を中心とした角度が３０°以上１５０°以下であり、
前記表示物は、各サイドウォール部において片側のサイドウォール部における前記表示物の個数Ｎに対して（３６０°／Ｎ）±２０°の間隔で配置され、
一方側のサイドウォール部の前記表示物と他方側のサイドウォール部の前記表示物とはタイヤ周方向の位置がずれるように配置されて、一方側のサイドウォール部と他方側のサイドウォール部との間で最も近接する前記表示物どうしのタイヤ軸を中心としたズレ角度が片側のサイドウォール部における前記表示物の個数Ｎに対して（１８０°／Ｎ）±２０°の範囲内であることを特徴とする空気入りタイヤ。
【請求項２】
一方側のサイドウォール部と他方側のサイドウォール部との間で最も近接する前記表示物どうしの重複量の合計が３０°以下であることを特徴とする請求項１に記載の空気入りタイヤ。
【請求項３】
前記表示物のタイヤ径方向中心位置において、前記凸部が存在しない箇所のゴム厚さＷｓと前記凸部が存在する箇所のゴム厚さＷｔとの比Ｗｔ／Ｗｓが１．２以上２．０以下であることを特徴とする請求項１または２に記載の空気入りタイヤ。
【請求項４】
片側のサイドウォール部における前記表示物の個数が２個であり、
各表示物のそれぞれのタイヤ周方向の一端から他端までのタイヤ軸を中心とした角度が５０°以上であり、且つ、各表示物のそれぞれのタイヤ周方向の一端から他端までのタイヤ軸を中心とした角度の合計が１９０°以下であり、
一方側のサイドウォール部と他方側のサイドウォール部との間で最も近接する前記表示物どうしの重複量の合計が２０°以下であることを特徴とする請求項１〜３のいずれかに記載の空気入りタイヤ。
【請求項５】
前記表示物のタイヤ径方向に沿った長さがタイヤ断面高さの１３％以上２０％以下であることを特徴とする請求項１〜４のいずれかに記載の空気入りタイヤ。
【発明の詳細な説明】
【技術分野】
【０００１】
本発明は、サイドウォール部の外表面から隆起した凸部で構成された表示物を備えた空気入りタイヤに関し、更に詳しくは、表示物に起因するユニフォミティの低下や走行時の振動を抑制することを可能にした空気入りタイヤに関する。
【背景技術】
【０００２】
空気入りタイヤのサイドウォール部の外表面には、メーカー名やブランド名などを表示するための表示物が形成される場合がある（例えば特許文献１を参照）。このような表示物は、例えば、サイドウォール部の外表面の基面から隆起した凸部や、基面に対して窪んだ凹部として形成され、凸部の頂面や凹部の底面の形状によって文字、図形、または記号が描写され、その組み合わせによってメーカー名やブランド名などが表現される。
【０００３】
特に、表示物が凸部で構成される場合、凸部の集合体である表示物が形成された箇所と、表示物が形成されない箇所とでは、ゴム量に差が生じる傾向がある。また、通常、これら表示物は、一対のサイドウォール部の両方にそれぞれ設けられるので、一方側のサイドウォール部と他方側のサイドウォール部とで表示物のタイヤ周上の位置が重複すると、前述のゴム量の差は更に拡大することになる。このようなゴム量の差は、タイヤのユニフォミティや走行時の振動に影響を及ぼす虞がある。そのため、表示物の形状や配置を最適化して、表示物に起因するユニフォミティの低下や走行時の振動を抑制するための対策が求められている。
【先行技術文献】
【特許文献】
【０００４】
【特許文献１】特許第６２１０１２７号公報
【発明の概要】
【発明が解決しようとする課題】
【０００５】
本発明の目的は、サイドウォール部の外表面から隆起した凸部で構成された表示物に起因するユニフォミティの低下や走行時の振動を抑制することを可能にした空気入りタイヤを提供することにある。
【課題を解決するための手段】
【０００６】
上記目的を達成する本発明の空気入りタイヤは、タイヤ周方向に延在して環状をなすトレッド部と、該トレッド部の両側に配置された一対のサイドウォール部と、これらサイドウォール部のタイヤ径方向内側に配置された一対のビード部とを備えた空気入りタイヤにおいて、前記一対のサイドウォール部のそれぞれの外表面のタイヤ最大幅位置よりもタイヤ径方向外側の領域に、前記サイドウォール部の外表面から０．８ｍｍ以上隆起して、頂面の形状によって文字、図形、または記号を描写する凸部を構成単位とし、複数の前記凸部が組み合わされた一連の凸部群として構成された表示物がＮ個ずつ設けられ、各表示物のそれぞれのタイヤ周方向の一端から他端までのタイヤ軸を中心とした角度が３０°以上１５０°以下であり、前記表示物は、各サイドウォール部において片側のサイドウォール部における前記表示物の個数Ｎに対して（３６０°／Ｎ）±２０°の間隔で配置され、一方側のサイドウォール部の前記表示物と他方側のサイドウォール部の前記表示物とはタイヤ周方向の位置がずれるように配置されて、一方側のサイドウォール部と他方側のサイドウォール部との間で最も近接する前記表示物どうしのタイヤ軸を中心としたズレ角度が片側のサイドウォール部における前記表示物の個数Ｎに対して（１８０°／Ｎ）±２０°の範囲内であることを特徴とする。
【発明の効果】
【０００７】
本発明では、上述のように、個々の表示物が上述の角度範囲に設けられ、且つ、片側のサイドウォール部において表示物の個数に応じて適切な間隔で配置されているので、表示物の視認性を損なうことなく、各サイドウォール部において表示物をバランスよく配置することができる。更に、一方側のサイドウォール部と他方側のサイドウォール部との間で最も近接する表示物どうしが適度にずれて配置されるので、一方側のサイドウォール部と他方側のサイドウォール部との間でゴム量が増大する領域（表示物が形成された部位）とゴム量が相対的に少ない領域（表示物が形成されない部位）とが互い違いに配置されることになり、両側のサイドウォール部の相互間でゴム量の増減を補い合うことができ、ユニフォミティを良好にして、走行時の振動を抑制することができる。
【０００８】
本発明では、一方側のサイドウォール部と他方側のサイドウォール部との間で最も近接する表示物どうしの重複量の合計が３０°以下であることが好ましい。表示物の重複量を小さくすることで、一方側のサイドウォール部と他方側のサイドウォール部との間で最も近接する表示物どうしを充分にずらして配置できるので、ユニフォミティを向上するには有利になる。尚、「重複量」は、一方側のサイドウォール部と他方側のサイドウォール部との間で最も近接する表示物どうしが重複する部位のタイヤ軸を中心とした角度で表すものとし、一方側のサイドウォール部と他方側のサイドウォール部との間で最も近接する表示物どうしが重複しない場合は重複量が０°であるとする。
【０００９】
本発明では、表示物のタイヤ径方向中心位置において、凸部が存在しない箇所のゴム厚さＷｓと凸部が存在する箇所のゴム厚さＷｔとの比Ｗｔ／Ｗｓが１．２以上２．０以下であることが好ましい。これにより、凸部がタイヤ外表面から充分に突出して表示物の視認性を高めることができる。表示物（凸部）の有無によるゴム量の差を適度な範囲に収めることができ、ユニフォミティを向上するには有利になる。尚、ゴム厚さＷｓ，Ｗｔは、子午線断面におけるカーカス層の外表面から各箇所の外表面（サイドウォール部の外表面や凸部の頂面）までのゴム厚さである。
【００１０】
本発明では、片側のサイドウォール部における前記表示物の個数が２個であり、各表示物のそれぞれのタイヤ周方向の一端から他端までのタイヤ軸を中心とした角度が５０°以上であり、且つ、各表示物のそれぞれのタイヤ周方向の一端から他端までのタイヤ軸を中心とした角度の合計が１９０°以下であり、一方側のサイドウォール部と他方側のサイドウォール部との間で最も近接する前記表示物どうしの重複量の合計が２０°以下であることが好ましい。これにより、表示物の個数と配置のバランスが更に良好になり、ユニフォミティを向上して、走行時の振動を抑制するには有利になる。
【００１１】
本発明では、表示物のタイヤ径方向に沿った長さがタイヤ断面高さの１３％以上２０％以下であることが好ましい。これにより、表示物の適度な大きさにすることができ、表示物の視認性を良好に保ちながら、表示物の有無によるゴム量の差を適度な範囲に収めることができる。
【図面の簡単な説明】
【００１２】
【図１】本発明の空気入りタイヤの子午線断面および斜視形状を示す模式図である。
【図２】本発明の実施形態からなる空気入りタイヤの側面図である。
【図３】表示物の配置について説明する模式図である。
【図４】表示物の位置関係について説明する模式図である。
【図５】表示物の位置関係について説明する模式図である。
【発明を実施するための形態】
【００１３】
以下、本発明の構成について添付の図面を参照しながら詳細に説明する。
【００１４】
図１に示すように、本発明の空気入りタイヤは、トレッド部１と、このトレッド部１の両側に配置された一対のサイドウォール部２と、サイドウォール部２のタイヤ径方向内側に配置された一対のビード部３とを備えている。尚、図１は要部のみを描写しているが、トレッド部１、サイドウォール部２、ビード部３は、それぞれタイヤ周方向に延在して環状を成しており、これにより空気入りタイヤのトロイダル状の基本構造が構成される。また、各タイヤ構成部材もタイヤ周方向に延在して環状を成すものである。
【００１５】
左右一対のビード部３間にはカーカス層４が装架されている。このカーカス層４は、タイヤ径方向に延びる複数本の補強コードを含み、各ビード部３に配置されたビードコア５の廻りに車両内側から外側に折り返されている。また、ビードコア５の外周上にはビードフィラー６が配置され、このビードフィラー６がカーカス層４の本体部と折り返し部とにより包み込まれている。一方、トレッド部１におけるカーカス層４の外周側には複数層（図１では２層）のベルト層７が埋設されている。各ベルト層７は、タイヤ周方向に対して傾斜する複数本の補強コードを含み、かつ層間で補強コードが互いに交差するように配置されている。これらベルト層７において、補強コードのタイヤ周方向に対する傾斜角度は例えば１０°〜４０°の範囲に設定されている。更に、ベルト層７の外周側にはベルト補強層８が設けられている。ベルト補強層８は、タイヤ周方向に配向する有機繊維コードを含む。ベルト補強層８において、有機繊維コードはタイヤ周方向に対する角度が例えば０°〜５°に設定されている。
【００１６】
本発明は、このような一般的な断面構造の空気入りタイヤに適用されるが、その基本構造は上述のものに限定されない。
【００１７】
本発明では、図２に示すように、サイドウォール部２の外表面にＮ個の表示物１０が設けられる（尚、Ｎは１以上の整数である）。各表示物１０は、サイドウォール部２の外表面から隆起して、頂面の形状によって文字、図形、または記号を描写する凸部１１を構成単位としており、複数の凸部１１が組み合わされた一連の凸部１１群として構成されている。例えば、図２の例では、２個の表示物１０が設けられている。一方の表示物１０は、文字「Ａ」を描写する凸部１１と、文字「Ｂ」を描写する凸部１１と、文字「Ｃ」を描写する凸部１１と、文字「Ｄ」を描写する凸部１１とが組み合わされて、「ＡＡＢＢＣＣＤＤ」という一連の凸部１１群（文字列）として構成されている。また、他方の表示物１０は、文字「Ａ」を描写する凸部１１と、文字「Ｂ」を描写する凸部１１と、文字「Ｃ」を描写する凸部１１と、文字「Ｄ」を描写する凸部１１と、文字「Ｅ」を描写する凸部１１と、文字「Ｆ」を描写する凸部１１と、文字「Ｇ」を描写する凸部１１と、文字「Ｈ」を描写する凸部１１と、文字「Ｉ」を描写する凸部１１と、文字「Ｊ」を描写する凸部１１と、「Ｋ」を描写する凸部１１と、記号「／」を描写する凸部１１と、文字「Ｌ」を描写する凸部１１と、数字「３」を描写する凸部１１と、数字「４」を描写する凸部１１と、数字「５」を描写する凸部１１と、数字「６」を描写する凸部１１とが組み合わされて、「ＡＢＣＤＥＦＧＨＩＪ  Ｋ／Ｌ  ３４５６」という一連の凸部１１群（文字列）として構成されている。尚、図示の例の「ＡＢＣＤＥＦＧＨＩＪ  Ｋ／Ｌ  ３４５６」という表示物１０では、文字「Ｊ」と文字「Ｋ」との間や、文字「Ｌ」と数字「３」との間が、他の凸部１１どうしの間隔よりも広がっているが、隣り合う凸部１１どうしの間隔ｄ（タイヤ軸を中心とした角度）が１０°以下、好ましくは８度以下であれば、１つの表示物１０（連続した一連の凸部１１群）と見做すものとする。
【００１８】
表示物１０は、各サイドウォール部２のそれぞれの外表面のタイヤ最大幅位置よりもタイヤ径方向外側の領域に設けられる。各凸部１１のサイドウォール部の外表面からの隆起高さは０．８ｍｍ以上、好ましくは１．２ｍｍ以上である。各表示物１０のそれぞれのタイヤ周方向の一端から他端までのタイヤ軸を中心とした角度θは、３０°以上１５０°以下、好ましくは４５°以上１２０°以下である。尚、図２の２つの表示物１０を例にすると、角度θはそれぞれ、文字列「ＡＡＢＢＣＣＤＤ」に含まれる文字「Ａ」の端部から文字「Ｄ」の端部までの角度（約６５°）であり、文字列「ＡＢＣＤＥＦＧＨＩＪ  Ｋ／Ｌ  ３４５６」に含まれる文字「Ｇ」の端部から文字「６」の端部までの角度（約１０５°）である。
【００１９】
各サイドウォール部２において、表示物１０は、表示物１０の個数Ｎに対して（３６０°／Ｎ）±２０°の間隔で配置される。ここでいう「間隔」とは、図２，３に示すように、表示物１０の周方向中心どうしのタイヤ軸を中心とした角度である。具体的には、図３（ａ）の例では、表示物１０の個数Ｎが２個であるので、表示物１０は１６０°〜２００°の間隔で配置され、図３（ｂ）の例では、表示物１０の個数Ｎが３個であるので、表示物１０は１００°〜１４０°の間隔で配置される。言い換えると、図３（ａ）の例では、表示物１０の周方向中心どうしのタイヤ軸を中心とした角度αが１６０°〜２００°であり、図３（ｂ）の例では、表示物１０の周方向中心どうしのタイヤ軸を中心とした角度αが１００°〜１４０°である。尚、図３では、表示物１０に含まれる個々の凸部１１を丸印で略示している。
【００２０】
更に、一方側のサイドウォール部２の表示物１０と他方側のサイドウォール部２の表示物１０とはタイヤ周方向の位置がずれるように配置されており、一方側のサイドウォール部と他方側のサイドウォール部との間で最も近接する前記表示物１０どうしのタイヤ軸を中心としたズレ角度が片側のサイドウォール部における前記表示物１０の個数Ｎに対して（１８０°／Ｎ）±２０°の範囲内に設定されている。具体的には、図４のように、一方側のサイドウォール部と他方側のサイドウォール部とを重ね合わせて、一方側のサイドウォール部２の表示物１０にハッチングを付して、他方側のサイドウォール部２の表示物１０にハッチングを付さずに示すと、図４（ａ）および図４（ｂ）のいずれにおいても、一方側のサイドウォール部２の表示物１０と他方側のサイドウォール部２の表示部とはタイヤ周方向にずれて配置されており、表示物１０どうしのズレ角度β（表示物１０の周方向中心どうしのタイヤ軸を中心とした角度）は、表示物１０の個数Ｎが２個である図４（ａ）では７０°〜１１０°（＝（１８０°／２）±２０°）になり、表示物１０の個数Ｎが３個である図４（ｂ）では４０°〜８０°（＝（１８０°／３）±２０°）になっている。尚、図４においても、表示物１０に含まれる個々の凸部１１は丸印で略示している。
【００２１】
このように、個々の表示物１０が上述の角度範囲に設けられ、且つ、片側のサイドウォール部２において表示物１０の個数に応じて表示物１０どうしが適切な間隔で配置されているので、表示物１０の視認性を損なうことなく、各サイドウォール部２において表示物１０をバランスよく配置することができる。更に、一方側のサイドウォール部２と他方側のサイドウォール部２との間で最も近接する表示物１０どうしが適度にずれて配置されるので、一方側のサイドウォール部２と他方側のサイドウォール部２との間でゴム量が増大する箇所（表示物１０が形成された領域）とゴム量が相対的に少ない箇所（表示物１０が形成されない領域）とが互い違いに配置されることになり、両側のサイドウォール部２の相互間でゴム量の増減を補い合うことができ、ユニフォミティを良好にして、走行時の振動を抑制することができる。
【００２２】
各凸部１１の隆起高さが０．８ｍｍ未満であると、個々の凸部１１（文字等）が充分に突出しないため、表示物１０の視認性が低下する。一方、各凸部１１の隆起高さが増大する分には、上述のように一方側のサイドウォール部と他方側のサイドウォール部とで表示物１０の有無が互い違いになって、両側のサイドウォール部２の相互間でゴム量の増減を補完し合えるためユニフォミティを良好に保つことができる。但し、各凸部１１の隆起高さが極端に大きいと、個々の凸部１１の耐久性が低下するため、凸部１１の隆起高さは好ましくは２．０ｍｍ以下、より好ましくは１．８ｍｍ以下にするとよい。
【００２３】
表示物１０は、各サイドウォール部２のそれぞれの外表面のタイヤ最大幅位置よりもタイヤ径方向外側の領域に設けられるが、この領域は、他の補強材（ビードフィラー６、ベルト層７など）から離間し、カーカス層４とサイドウォール部２を構成するゴム層のみが存在し、更に、タイヤ内で最もゴム厚さが小さい部位であるため、表示物１０によるゴム量の変化の影響が大きい領域である。そのため、この領域において、上述の構造を採用することは、ユニフォミティを向上して、走行時の振動を抑制するには有効である。
【００２４】
各表示物１０の角度θが３０°未満であると、表示物１０が小さいため、表示物１０の視認性が低下する。各表示物１０の角度θが１５０°を超えると、一方側のサイドウォール部２と他方側のサイドウォール部２とで表示物１０をタイヤ周方向にずらして配置しても、表示物１０の端部が重複する虞があり、ユニフォミティを向上する効果を充分に得ることができない。各サイドウォール部２における表示物１０の間隔が（３６０°／Ｎ）±２０°の関係を満たさないと、各サイドウォール部２において、表示物１０が偏って配置されることになり、ユニフォミティを向上する効果を充分に得ることができない。表示物１０のズレ角度が（１８０°／Ｎ）±２０°の関係を満たさないと、表示物１０を適切にずらして配置する子ことができず、ユニフォミティを向上する効果を充分に得ることができない。
【００２５】
本発明は、一方側のサイドウォール部２と他方側のサイドウォール部２との間で最も近接する表示物１０どうしをずらして配置するものであるが、これら表示物１０どうしが一部で重複することは許容される。即ち、一方側のサイドウォール部２と他方側のサイドウォール部２との間で最も近接する表示物１０どうしの重複量ｔの合計Ｔが３０°以下であることが好ましい。図５の例では、各サイドウォール部２にそれぞれ２個の表示物１０（丸印で略字した表示物１０と、三角形と四角形の組み合わせで略字した表示物１０の２種類）が設けられており、一方側のサイドウォール部２の表示物１０と他方側のサイドウォール部２と表示物１０とが３箇所で重複している。この場合であっても、その重複量ｔの合計Ｔは３０°以下に抑えられている。このように表示物１０どうしの重複量ｔを小さく抑えることで、一方側のサイドウォール部２と他方側のサイドウォール部２との間で最も近接する表示物１０どうしを充分にずらして配置できるので、ユニフォミティを向上するには有利になる。尚、重複量ｔは、図示のように、一方側のサイドウォール部２の表示物１０のタイヤ周方向の一端とタイヤ軸中心とを結ぶ直線と、他方側のサイドウォール部２の表示物１０のタイヤ周方向の他端とタイヤ軸中心とを結ぶ直線とが成す角度である。
【００２６】
表示物１０の個数Ｎは、特に限定されないが、空気入りタイヤにおいて表示物１０として採用される表示物１０（メーカー名、ブランド名、商品名などの文字列）に含まれる凸部１１の数（文字数）や、個々の表示物１０の視認性を考慮すると、表示物１０の個数Ｎは好ましくは１〜３個にするとよい。特に、一般的に市場に流通しているタイヤでは、２個の表示物１０（製品ブランド名および製造業者名）が設けられることが多い。このように、表示物１０の個数Ｎが２個である場合、各表示物１０のそれぞれのタイヤ周方向の一端から他端までのタイヤ軸を中心とした角度を好ましくは５０°以上とし、且つ、各表示物１０のそれぞれのタイヤ周方向の一端から他端までのタイヤ軸を中心とした角度の合計を好ましくは１９０°以下とし、更に、一方側のサイドウォール部と他方側のサイドウォール部との間で最も近接する前記表示物１０どうしの重複量の合計を好ましくは２０°以下にするとよい。表示物１０の個数Ｎが２個である場合に、このような構造を採用すると、表示物１０の個数と配置のバランスが最適化されるので、ユニフォミティを向上して、走行時の振動を抑制するには有利になる。
【００２７】
表示物１０を構成する各凸部１１は上述の隆起高さを有するが、好ましくは、サイドウォール部２のゴムゲージと表示物１０によって増加するゴム量とのバランスを考慮するとよい。即ち、表示物１０のタイヤ径方向中心位置において、凸部１１が存在しない箇所のゴム厚さＷｓと凸部１１が存在する箇所のゴム厚さＷｔとの比Ｗｔ／Ｗｓを、好ましくは１．２以上２．０以下、より好ましくは１．３以上１．７以下に設定するとよい。これにより、凸部１１がタイヤ外表面から充分に突出して表示物１０の視認性を高めることができ、また、表示物１０（凸部１１）の有無によるゴム量の差を適度な範囲に収めることができ、ユニフォミティを向上するには有利になる。比Ｗｔ／Ｗｓが１．２未満であると、表示物１０が存在しない部位におけるゴム量に対して、表示物１０によって増加するゴム量が充分に小さくなるため、表示物１０によるユニフォミティへの影響が無視できるレベルになる。尚、ゴム厚さＷｓ，Ｗｔは上述の関係を満たせばよいが、ゴム厚さＷｓは好ましくは２．０ｍｍ〜４．０ｍｍ、より好ましくは２．５ｍｍ〜３．５ｍｍにするとよい。
【００２８】
表示物１０が大きいほど視認性は高いが、ユニフォミティへの影響が大きくなるため、表示物１０のタイヤ径方向に沿った長さＨをタイヤ断面高さＳＨの好ましくは１３％以上２０％以下にするとよい。これにより、表示物１０の適度な大きさにすることができ、表示物１０の視認性を良好に保ちながら、表示物１０の有無によるゴム量の差を適度な範囲に収めることができる。長さＨが断面高さＳＨの１３％未満であると視認性が低下する。長さＨが断面高さＳＨの２０％を超えると表示物１０が大きくなり過ぎて、ユニフォミティへの影響が大きくなる。
【００２９】
空気入りタイヤにおいては、表示物１０として様々な形態が採用され得るので、表示物１０の形状に応じて、上述の各種設定は適宜組み合わせて採用することができる。いずれの場合も、上述の各種設定を採用したタイヤでは、表示物１０の有無や形状の違いによって発生するゴム量の大小を、一対のサイドウォール部の相互間で補い合うことができ、ユニフォミティを良好にして、走行時の振動を抑制することができる。
【実施例】
【００３０】
タイヤサイズが２２５／６５Ｒ１７  １０２Ｖであり、図１に例示する基本構造を有し、サイドウォール部の外表面に設けられる表示物のそれぞれの隆起高さ、タイヤ周方向の一端から他端までのタイヤ軸を中心とした角度θ、タイヤ断面高さＳＨに対するタイヤ周方向に沿った長さＨの割合（Ｈ／ＳＨ×１００％）、表示物どうしの間隔α、一方側のサイドウォール部の表示物と他方側のサイドウォール部の表示物とのタイヤ周方向のズレ角度β、一方側のサイドウォール部の表示物と他方側のサイドウォール部の表示物とのタイヤ周方向の重複量ｔの合計Ｔ、凸部が存在しない箇所のゴム厚さＷｓと凸部が存在する箇所のゴム厚さＷｔとの比Ｗｔ／Ｗｓを表１〜２のように設定した従来例１〜２、比較例１〜８、実施例１〜１８の２８種類の空気入りタイヤを作製した。
【００３１】
これら空気入りタイヤについて、下記の評価方法により、振動性能と表示の視認性とを評価し、その結果を表１〜２に併せて示した。
【００３２】
振動性能
各試験タイヤをリムサイズ１７×６１／２Ｊのホイールに組み付けて、空気圧を２３０ｋＰａとして試験車両に装着し、舗装路面を直進する際の振動についてテストドライバーによる官能評価を行った。評価結果は、表１では従来例１の値を１００とする指数で、表２では従来例２を１００とする指数で示した。この指数値が大きいほど走行時の振動が小さく、振動性能に優れることを意味する。尚、指数値が「１０２」以下では、従来例と比較して充分な改善効果が得られておらず、実質的に従来例と同等の性能しか得られていないことを意味する。
【００３３】
視認性
各試験タイヤの表示物の視認性について、１０名のパネラーの目視により、以下の基準で判定した。評価結果は、以下の基準に基づく評価値の総和を求め、表１では従来例１の値を１００とする指数で、表２では従来例２を１００とする指数で示した。この指数値が大きいほど視認性が優れることを意味する。尚、指数値が「９８」以上であれば、充分に良好な視認性が得られたことを意味する。
［判定基準］
４：表示物の構成単位（文字）のそれぞれについて明確に認識できた。
３：表示物の構成単位（文字）の一部が不明瞭であったが、表示物全体（文字列全体）  としては明瞭な印象を受けた。
２：表示物の構成単位（文字）を個別に判別することは難しかったが、表示物全体（文  字列全体）は認識できた。
１：表示物全体が不明瞭な印象を受けた。
【００３４】
【表１】
2020001665.tif 000003
【００３５】
【表２】
2020001665.tif 000004
【００３６】
表１〜２から明らかなように、実施例１〜１８はいずれも、基準とした従来例１または２と比較して、振動性能が改善し、且つ、視認性を良好に維持または向上した。尚、直進時の振動性能はタイヤのユニフォミティの影響が大きいため、振動性能が改善した実施例１〜１８はいずれもユニフォミティが良好であると判断できる。
【００３７】
一方、比較例１，５は、表示物の隆起高さが小さいため視認性が低下した。比較例２，６は、表示物の角度θが大きすぎるものや小さすぎるものが含まれるため、振動性能を向上する効果が得られず、また視認性が低下した。比較例３，７は、ズレ角度が小さすぎるため、振動性能を充分に改善する効果が得られなかった。比較例４，８は、ズレ角度が大きすぎるため、振動性能を充分に改善する向上する効果が得られなかった。尚、表示物の数が３個の場合（従来例１、比較例１〜４、実施例１〜９）と、表示物の数が２個の場合（従来例２、比較例５〜８、実施例１０〜１８）とを対比すると、表示物の数が２個の場合の方が、個々の表示物をより好適な大きさにすることができるため、より良好な視認性が得られた。
【符号の説明】
【００３８】
１  トレッド部
２  サイドウォール部
３  ビード部
４  カーカス層
５  ビードコア
６  ビードフィラー
７  ベルト層
８  ベルト補強層
１０  表示物
１１  凸部
ＣＬ  タイヤ赤道
【図１】
2020001665.tif 000005
【図２】
2020001665.tif 000006
【図３】
2020001665.tif 000007
【図４】
2020001665.tif 000008
【図５】
2020001665.tif 000009